(57)【要約】【課題】端子カバー部を閉じる際のバッテリポストやバッテリ端子の損傷を防止することができるバッテリカバーを提供する。【解決手段】バッテリ３の上面５に形成された凹所７内に突設されたバッテリポスト９にバッテリ端子１１を介して接続されたヒューズユニット１３の外周を覆うバッテリカバー１において、ヒューズユニット１３の外周を覆うヒューズカバー部１５と、このヒューズカバー部１５に開閉可能に連結され凹所７に配置されてバッテリポスト９とバッテリ端子１１とを覆う端子カバー部１７とを有し、端子カバー部１７に、バッテリ３の上面５に当接され端子カバー部１７の閉じる方向への移動を規制する規制部１９を設けた。【選択図】図５
2015095344.tif 000002
【特許請求の範囲】
【請求項１】
バッテリの上面に形成された凹所内に突設されたバッテリポストにバッテリ端子を介して接続されたヒューズユニットの外周を覆うバッテリカバーであって、
前記ヒューズユニットの外周を覆うヒューズカバー部と、このヒューズカバー部に開閉可能に連結され前記凹所に配置されて前記バッテリポストと前記バッテリ端子とを覆う端子カバー部とを有し、
前記端子カバー部には、前記バッテリの上面に当接され前記端子カバー部の閉じる方向への移動を規制する規制部が設けられていることを特徴とするバッテリカバー。
【請求項２】
請求項１記載のバッテリカバーであって、
前記規制部は、前記凹所から露出して前記バッテリの上面に延設された延長部の下面に設けられ、
前記延長部の先端には、前記端子カバー部を開閉操作する操作部が設けられていることを特徴とするバッテリカバー。
【発明の詳細な説明】
【技術分野】
【０００１】
本発明は、車両に適用されるバッテリカバーに関する。
【背景技術】
【０００２】
従来、バッテリカバーとしては、バッテリの上面に形成された凹所内に突設されたバッテリポストにバッテリ端子を介して接続されたヒューズユニットの外周を覆うものが知られている（例えば、特許文献１参照）。
【０００３】
このバッテリカバーでは、ヒューズユニットの外周を覆うヒューズカバー部としての第一のカバーと、この第一のカバーに開閉可能に連結され凹所に配置されてバッテリポストとバッテリ端子とを覆う端子カバー部としての第二のカバーとを有する。
【０００４】
このようなバッテリカバーは、バッテリに組付けられた状態で、第二のカバーを開くことによりバッテリ端子やヒューズなどの視認を行うことができるので、バッテリカバーの取り外しや取り付けをその都度行う必要がなく、作業性を向上することができる。
【先行技術文献】
【特許文献】
【０００５】
【特許文献１】特開２００２−２８９１７１号公報
【発明の概要】
【発明が解決しようとする課題】
【０００６】
しかしながら、上記特許文献１のようなバッテリカバーでは、端子カバー部を閉じる際に、端子カバー部を過剰に閉じる方向に移動させてしまうと、端子カバー部がバッテリポストやバッテリ端子と干渉してしまい、バッテリポストやバッテリ端子に損傷が生じる恐れがあった。
【０００７】
そこで、この発明は、端子カバー部を閉じる際のバッテリポストやバッテリ端子の損傷を防止することができるバッテリカバーの提供を目的としている。
【課題を解決するための手段】
【０００８】
請求項１記載の発明は、バッテリの上面に形成された凹所内に突設されたバッテリポストにバッテリ端子を介して接続されたヒューズユニットの外周を覆うバッテリカバーであって、前記ヒューズユニットの外周を覆うヒューズカバー部と、このヒューズカバー部に開閉可能に連結され前記凹所に配置されて前記バッテリポストと前記バッテリ端子とを覆う端子カバー部とを有し、前記端子カバー部には、前記バッテリの上面に当接され前記端子カバー部の閉じる方向への移動を規制する規制部が設けられていることを特徴とする。
【０００９】
このバッテリカバーでは、端子カバー部に、バッテリの上面に当接され端子カバー部の閉じる方向への移動を規制する規制部が設けられているので、端子カバー部を閉じる際に、端子カバー部が過剰に閉じる方向に移動されることがなく、端子カバー部がバッテリポストやバッテリ端子と干渉することがない。
【００１０】
従って、このようなバッテリカバーでは、規制部によって端子カバー部の閉じる方向への過剰な移動を規制することができるので、端子カバー部を閉じる際のバッテリポストやバッテリ端子の損傷を防止することができる。
【００１１】
請求項２記載の発明は、請求項１記載のバッテリカバーであって、前記規制部は、前記凹所から露出して前記バッテリの上面に延設された延長部の下面に設けられ、前記延長部の先端には、前記端子カバー部を開閉操作する操作部が設けられていることを特徴とする。
【００１２】
このバッテリカバーでは、規制部が、凹所から露出してバッテリの上面に延設された延長部の下面に設けられているので、端子カバー部を閉じる際の端子カバー部とバッテリポストやバッテリ端子との干渉を防止しつつ、延長部によって凹所の側壁と端子カバー部との隙間を閉塞することができる。
【００１３】
また、延長部の先端には、端子カバー部を開閉操作する操作部が設けられているので、操作部の操作時に操作者の指が凹所の側壁と端子カバー部との隙間に入り込むことがなく、バッテリポストやバッテリ端子との接触を防止することができる。
【発明の効果】
【００１４】
本発明によれば、端子カバー部を閉じる際のバッテリポストやバッテリ端子の損傷を防止することができるバッテリカバーを提供することができるという効果を奏する。
【図面の簡単な説明】
【００１５】
【図１】本発明の実施の形態に係るバッテリカバーをバッテリに組付けたときの斜視図である。
【図２】本発明の実施の形態に係るバッテリカバーをバッテリに組付けたときの上面図である。
【図３】本発明の実施の形態に係るバッテリカバーの端子カバー部を開閉したときの側面図である。
【図４】（ａ）は本発明の実施の形態に係るバッテリカバーをバッテリに組付けたときの側面図である。（ｂ）は図４（ａ）の要部拡大図である。
【図５】本発明の実施の形態に係るバッテリカバーをバッテリに組付けたときの断面図である。
【発明を実施するための形態】
【００１６】
図１〜図５を用いて本発明の実施の形態に係るバッテリカバーについて説明する。
【００１７】
本実施の形態に係るバッテリカバー１は、バッテリ３の上面５に形成された凹所７内に突設されたバッテリポスト９にバッテリ端子１１を介して接続されたヒューズユニット１３の外周を覆う。
【００１８】
このバッテリカバー１は、ヒューズユニット１３の外周を覆うヒューズカバー部１５と、このヒューズカバー部１５に開閉可能に連結され凹所７に配置されてバッテリポスト９とバッテリ端子１１とを覆う端子カバー部１７とを有する。
【００１９】
そして、端子カバー部１７には、バッテリ３の上面５に当接され端子カバー部１７の閉じる方向への移動を規制する規制部１９が設けられている。
【００２０】
また、規制部１９は、凹所７から露出してバッテリ３の上面５に延設された延長部２１の下面に設けられ、延長部２１の先端には、端子カバー部１７を開閉操作する操作部２３が設けられている。
【００２１】
図１〜図５に示すように、バッテリ３は、直方体状に形成され、上面５の隅部に上面５から一段低くなるように切り欠かれて形成された凹所７が設けられている。この凹所７内には、バッテリポスト９が突設されている。このバッテリポスト９には、バッテリ端子１１が接続されている。
【００２２】
バッテリ端子１１は、導電性材料からなり、一端側にバッテリポスト９が挿通されて電気的に接続される孔からなるバッテリ接続部２５が設けられ、他端側にバッテリ３の上面５側に向けてスタッドボルト２７が突設されている。
【００２３】
このバッテリ端子１１は、バッテリ接続部２５をバッテリポスト９に挿通した状態で、ボルト２９を締め込むことによりバッテリ３に固定される。このようにバッテリ３に固定されたバッテリ端子１１のスタッドボルト２７には、ヒューズユニット１３のヒューズエレメント３１が接続される。
【００２４】
ヒューズユニット１３は、過電流によって溶断するヒューズが設けられた導電性材料からなるヒューズエレメント３１が合成樹脂によってモールド成形されている。また、ヒューズユニット１３は、バッテリ端子１１側に配置される端子部３３と、ヒューズが設けられたヒューズ部３５とを有し、ヒューズ部３５側がバッテリ３の側面に向けて折り曲げられてＬ字状に形成されている。
【００２５】
このヒューズユニット１３は、端子部３３がバッテリ端子１１のスタッドボルト２７側に配置され、端子部３３のヒューズエレメント３１にバッテリ端子１１のスタッドボルト２７が接続されることにより、バッテリ端子１１を介してバッテリ３に電気的に接続される。
【００２６】
このようなヒューズユニット１３には、車両に搭載された各種機器などに接続された電線の端末部に設けられたコネクタが接続され、バッテリ３からの電力を各種機器などに供給する。このとき、ヒューズエレメント３１に過電流が入力されると、ヒューズが溶断し、バッテリ３と各種機器などとの間の電力供給を遮断する。
【００２７】
このようなヒューズユニット１３の外周には、バッテリカバー１が覆うように配置され、バッテリカバー１によってヒューズユニット１３と、バッテリポスト９と、バッテリ端子１１とが保護されている。
【００２８】
バッテリカバー１は、合成樹脂などの絶縁性材料からなり、ヒューズカバー部１５と、端子カバー部１７とを備えている。
【００２９】
ヒューズカバー部１５は、主にヒューズユニット１３のヒューズ部３５の上側を覆うように配置され、ヒューズユニット１３とヒューズカバー部１５とにそれぞれ設けられた係合部（不図示）を介してヒューズユニット１３に固定される。このヒューズカバー部１５には、図３に示すように、ヒンジ部３７を介して端子カバー部１７が開閉可能に連結されている。
【００３０】
端子カバー部１７は、主にバッテリ３のバッテリポスト９と、バッテリ端子１１とを覆うようにバッテリ３の凹所７に配置され、ヒューズカバー部１５と端子カバー部１７とにそれぞれ設けられた係合部（不図示）を係合することにより、閉じた状態が保持される。
【００３１】
このようなバッテリポスト９やバッテリ端子１１を覆う端子カバー部１７は、バッテリ３の凹所７に対して過剰に閉じられると、端子カバー部１７の裏面や端部がバッテリポスト９やバッテリ端子１１に干渉し、バッテリポスト９やバッテリ端子１１に損傷が生じる恐れがある。
【００３２】
そこで、端子カバー部１７には、端子カバー部１７の閉じる方向への移動を規制し、端子カバー部１７が過剰に閉じられることを防止する規制部１９が設けられている。
【００３３】
規制部１９は、端子カバー部１７の凹所７から露出する端部からバッテリ３の上面５に向けて延設された延長部２１の下面となっている。この規制部１９は、端子カバー部１７を凹所７に向けて閉じたときに、バッテリ３の上面５と当接する。
【００３４】
この規制部１９とバッテリ３の上面５との当接により、端子カバー部１７の閉じる方向への過剰な移動が規制され、端子カバー部１７の裏面や端部がバッテリポスト９やバッテリ端子１１に干渉することがなく、バッテリポスト９やバッテリ端子１１に損傷が生じることを防止することができる。
【００３５】
ここで、端子カバー部１７の延長部２１の先端には、端子カバー部１７の開閉操作を行う操作部２３が設けられている。また、延長部２１の下側には、端子カバー部１７を閉じた状態で、端子カバー部１７の端部とバッテリ３の凹所７の内壁との間の隙間が位置されている。
【００３６】
例えば、端子カバー部１７に延長部２１を設けずに、端子カバー部１７の端部に操作部２３を設けた場合、操作部２３は、端子カバー部１７を閉じた状態で、端子カバー部１７の端部とバッテリ３の凹所７の内壁との間の隙間の上方に位置されることになる。
【００３７】
このような場合には、操作部２３を操作して端子カバー部１７を開くとき、或いは閉じるときに、操作者の指が端子カバー部１７の端部とバッテリ３の凹所７の内壁との間の隙間に入り込み、バッテリ端子１１などに接触する恐れがある。
【００３８】
そこで、バッテリカバー１では、端子カバー部１７の端部とバッテリ３の凹所７の内壁との間の隙間の上方に位置する延長部２１の先端に操作部２３を設けることにより、操作部２３の操作時に操作者の指が端子カバー部１７の端部とバッテリ３の凹所７の内壁との間の隙間に入り込むことを防止することができる。
【００３９】
このようなバッテリカバー１では、端子カバー部１７に、バッテリ３の上面５に当接され端子カバー部１７の閉じる方向への移動を規制する規制部１９が設けられているので、端子カバー部１７を閉じる際に、端子カバー部１７が過剰に閉じる方向に移動されることがなく、端子カバー部１７がバッテリポスト９やバッテリ端子１１と干渉することがない。
【００４０】
従って、このようなバッテリカバー１では、規制部１９によって端子カバー部１７の閉じる方向への過剰な移動を規制することができるので、端子カバー部１７を閉じる際のバッテリポスト９やバッテリ端子１１の損傷を防止することができる。
【００４１】
また、規制部１９は、凹所７から露出してバッテリ３の上面５に延設された延長部２１の下面に設けられているので、端子カバー部１７を閉じる際の端子カバー部１７とバッテリポスト９やバッテリ端子１１との干渉を防止しつつ、延長部２１によって凹所７の側壁と端子カバー部１７との隙間を閉塞することができる。
【００４２】
また、延長部２１の先端には、端子カバー部１７を開閉操作する操作部２３が設けられているので、操作部２３の操作時に操作者の指が凹所７の側壁と端子カバー部１７との隙間に入り込むことがなく、バッテリポスト９やバッテリ端子１１との接触を防止することができる。
【００４３】
なお、本発明の実施の形態に係るバッテリカバーでは、規制部が延長部の下面に設けられているが、これに限らず、例えば、凹所の底部と対向される端子カバー部の下面に規制部を設けるなど、バッテリの上面と当接して端子カバー部の閉じる方向への移動を規制できる位置であれば、規制部を設ける位置は端子カバー部のどのような位置であってもよい。
【符号の説明】
【００４４】
１…バッテリカバー
３…バッテリ
５…上面
７…凹所
９…バッテリポスト
１１…バッテリ端子
１３…ヒューズユニット
１５…ヒューズカバー部
１７…端子カバー部
１９…規制部
２１…延長部
２３…操作部
【図１】
2015095344.tif 000003
【図２】
2015095344.tif 000004
【図３】
2015095344.tif 000005
【図４】
2015095344.tif 000006
【図５】
2015095344.tif 000007